(57)【要約】  本発明は、洗浄および／または消毒および／または消臭するための粘着性衛生組成物であって、単糖類、二糖類、またはオリゴ糖類、好ましくは単糖類または二糖類および界面活性剤を、どちらも多量に含む接着促進剤を含む粘着性衛生組成物に関する。【特許請求の範囲】
【請求項１】
洗浄および／または消毒および／または消臭するための粘着性衛生組成物であって、前記組成物の総重量基準で：
・接着促進剤として、乾燥含有量で４０〜６５重量％の、単糖類、二糖類、もしくはオリゴ糖類、糖アルコールまたはそれらの混合物から選択される糖成分、および
・乾燥含有量で２５〜５０重量％の界面活性剤；および
・前記組成物の総重量基準で１〜５重量％の量の残留水
を含む、組成物。
【請求項２】
組成物の総重量基準で：
・４５〜６０部の前記糖成分；
・２６〜４０部の前記界面活性剤；
・１．５〜３％の水
を含む、請求項１に記載の組成物。
【請求項３】
前記糖の前記界面活性剤に対する重量比が３：１〜１：１であり、好ましくは約２：１である、請求項１〜２のいずれか１項に記載の組成物。
【請求項４】
前記単糖類、二糖類、またはオリゴ糖類が、グルコース、フルクトース、サッカロース、グルコースシロップ、イソモルトまたはそれらの混合物であり、さらに好ましくはサッカロースとグルコースシロップとの混合物またはイソモルトとグルコースシロップとの混合物であり、これらの混合物が有利には２０／８０〜４０／６０の重量比である、請求項１〜４のいずれか１項に記載の組成物。
【請求項５】
前記グルコースシロップのデキストロース含有量が１４〜２０％である、請求項４に記載の組成物。
【請求項６】
前記界面活性剤がアニオン性界面活性剤である、請求項１〜５のいずれか１項に記載の組成物。
【請求項７】
前記アニオン性界面活性剤がアルカンスルホン酸塩もしくはアルキルエーテル硫酸塩またはそれらの混合物であり、好ましくはそれらの混合物である、請求項６に記載の組成物。
【請求項８】
安定剤をさらに含む、請求項１〜７のいずれか１項に記載の組成物。
【請求項９】
前記安定剤が、最終組成物の０．５〜５重量％、好ましくは１〜３重量％の量である、請求項８に記載の組成物。
【請求項１０】
前記安定剤が：
・疎水性化合物、例えば油もしくはワックス（動物性、植物性、合成、石油）、鉱油もしくは植物油などの液体油、好ましくは流動パラフィンおよびヒマシ油、ならびに第３級アルコール、ケトン、複合エステル
・錯化剤、例えばリン酸、二リン酸ナトリウム、スズ酸塩（ｓｔａｎｎｅｔｅ）、ＥＤＴＡ、ＮＴＡ、クエン酸塩
・尿素、バルビツール酸
・疎水性および／または親水性シリカ
・脂肪酸の金属塩、例えばステアリン酸塩（ナトリウム、カリウム）。
・高温安定アニオン性界面活性剤、例えば２−（Ｎ−エルカシル−Ｎ−メチルアミド）アセテート（ＥＭＡＡ）、ジフェニルオキシドジスルホネート、アルコキシカルボキシレート
・ケイ酸塩、例えばアルカリ金属ケイ酸塩
・およびシリコンゴム
からなる群から選択される、請求項８または９に記載の組成物。
【請求項１１】
前記安定剤が油状基質、好ましくは流動パラフィンまたはヒマシ油である、請求項８〜１０のいずれか１項に記載の組成物。
【請求項１２】
１０分の５０〜８０ミリメートル、好ましくは６５〜７５の硬度を示す、請求項１〜１１のいずれか１項に記載の組成物。
【請求項１３】
グリセリンを含まない、請求項１〜１２のいずれか１項に記載の組成物。
【請求項１４】
前記オリゴ糖類が可溶性である、請求項１〜１３のいずれか１項に記載の組成物。
【請求項１５】
洗浄および／または消毒および／または消臭するための粘着性衛生組成物の製造方法であって、糖成分を溶融させ、場合によってあらかじめ加熱された前記組成物の残りと混合し、そして前記混合物を成形することを含み、前記出発組成物が、前記組成物の総重量基準で：
・乾燥重量で前記全組成物の４０重量％〜６５重量％の単糖類、二糖類、もしくはオリゴ糖類、好ましくは可溶性オリゴ糖類糖アルコールまたはそれらの混合物から選択される糖成分と、
・乾燥重量で全組成物の２５〜５０重量％の量の界面活性剤と、
・１０〜２５重量％、好ましくは１０〜２０重量％の量の水と
を１〜５重量％の残留水含有量まで含む、方法。
【請求項１６】
請求項１〜１４のいずれか１項に記載の組成物の製造のための、請求項１５に記載の方法。
【請求項１７】
請求項１５または１６記載の方法によって得ることができる組成物。
【請求項１８】
固体アプリケータと組み合わせた、請求項１〜１４または１７のいずれか１項に記載の組成物。
【請求項１９】
衛生要素、特にトイレを洗浄および／または消毒および／または消臭するための、請求項１〜１４および１７または１８のいずれか１項に記載の組成物の使用。
【請求項２０】
衛生要素、特にトイレを洗浄および／または消毒および／または消臭するための方法であって、
（ｉ）請求項１〜１４または１７または１８のいずれか１項に記載の組成物を前記要素に接着させるステップと、
（ｉｉ）それをフラッシュするステップと
を含む、方法。
【発明の詳細な説明】
【技術分野】
【０００１】
本発明は、衛生要素、特にトイレを洗浄および／または消毒および／または消臭するための衛生組成物に関する。
【背景技術】
【０００２】
衛生要素、特にトイレを洗浄および／または消毒および／または消臭するためのいくつかの解決策が存在する。
【０００３】
既存の１つの解決策は、ケージまたは特定の送達システム中に入れ、鉢の壁に付着させたブロック組成物または液体組成物を含む。別の解決策は、トイレの陶器上に直接施用されるゲル化液体であって、実質的に粘性のある液体を含む。さらに別の解決策は、接着性ゲルであり、これはトイレに局所的に施用され、引き続いて、フラッシュで鉢の水中に分散される。本発明はこの最後の技術的解決策を検討する。
【０００４】
様々な刊行物がそのような接着性組成物を検討している。
【０００５】
例えば、特許文献１は、洗浄および／または消毒および／または消臭するための衛生製品を開示し、この製品は衛生陶器に直接施用可能であり、衛生陶器に接着し、多数回のフラッシュでようやく洗い流されるとされ、前記製品は、水、アニオン性および／または非イオン性および／または両性界面活性剤、芳香剤、広範囲のリストから選択される接着促進剤（特に、ポリアルコキシアルカン、セルロース、多糖類、デンプン、アルギネート、ジウレタン、ゼラチン、ペクチン、オレイルアミン、アルキルジメチルアミンオキシド、ステアレート、ドデシルベンゼンスルホン酸ナトリウム、寒天、アカシアゴム、イナゴマメ粉、ポリアクリレート、ポリビニルアルコールおよびポリビニルピロリドンを含む）を含む。ここで開示されている組成物は、少なくとも１５，０００ｍＰａの比粘度を示す。
【０００６】
特許文献２は、同じ出願人の前記特許出願の改良である。改良は特定のポリヒドロキシ化合物の使用にある。
【０００７】
特許文献３は、多糖類（１〜５％）、Ｃ８〜Ｃ２２アルキルポリグリコシドである界面活性剤（３〜２５％）、香料（２〜１５％）およびさらに添加剤を含むゲル衛生組成物を開示する。キサンタンゴムおよびグアーゴムがこの特許出願で用いられる多糖類の例である。
【０００８】
特許文献４も、界面活性剤、フラッシュ調節剤、ゲル形成剤、芳香剤（特に０．５〜２０重量％）および溶媒を含むブロック形態の、恒久的に空気をリフレッシュするゲル化粧室洗浄組成物を開示する。洗浄成分が必要とされる量で連続して放出されるように、各フラッシュ操作中に組成物の特定の部分が溶液に溶け込むことが示されている。接着特性については示されていない。
【０００９】
特許文献５は、（ｉ）多糖類であり得る接着促進剤、（ｉｉ）少なくとも１つの界面活性剤、（ｉｉｉ）消毒および／または香料ならびに任意の化合物を含む接着性組成物を開示する。
【００１０】
特許文献６は、（ａ）１８〜８０％の量の多糖類であり得る接着促進剤、（ｂ）少なくとも１つのアニオン性界面活性剤、例えばアルキルエーテルスルフェート、（ｃ）鉱油、（ｄ）水および（ｅ）グリコールのリストから選択できる溶媒を含む接着性組成物を開示する。
【００１１】
特許文献７（特許文献８に対応）は、多糖類であり得る接着促進剤、水、溶媒、乳化剤および漂白剤を含む接着性組成物を開示する。
【００１２】
これらの文書では多糖類に関する例はなく、ましてや多糖類が何であるかの定義もない。
【００１３】
前記開示のような、特に特許文献２および／または特許文献１で記載されるような、トイレに施用される現行の粘着性ゲルは、アニオン性界面活性剤と非イオン性界面活性剤との混合に基づき、これにより、ファンデアワールス結合のおかげで６角形ネットが形成される。この種類の結合はゲル構造を提供する。しかしながら、製品が使用中（フラッシュ中）である場合にそれらの結合は切断される。これによってゲルの表面で溶解が起こり、製品がトイレ中に配置される場合に視覚的態様が悪くなる。このことは、最終消費者に否定的に見られる。
【００１４】
特許文献９は、（１）約２５重量％未満の界面活性剤；（２）約４０重量％を超える糖または糖の混合物；（３）約５％〜２５重量％のガラス転移修飾剤；および（４）１％〜３０％の水を含むバー組成物を開示する。組成物はバーであるとされる。
【００１５】
特許文献１０は、２５〜３４％のセッケン、５〜１５％のアルコール、１５〜３０％の糖、１５〜３０％の水を含むバーを開示する。
【００１６】
特許文献１１は、６０〜７５％の糖、２０〜２５％のセッケン、２〜５％の殺菌剤を含むバーを開示する。
【００１７】
製品は粘着性であること、そしてさらには透明または半透明であることが必要とされる。衛生組成物が壁上に残留物または漏出物を残さずに溶解し、消失することも要求される。
【先行技術文献】
【特許文献】
【００１８】
【特許文献１】欧州特許出願公開第１０８６１９９号
【特許文献２】欧州特許出願公開第１３２５１０３号
【特許文献３】国際公開第９８／４６７１２号
【特許文献４】欧州特許出願公開第０８６４６３７号
【特許文献５】欧州特許第１９７８０８０号
【特許文献６】国際公開第２００９／１０５２３３号
【特許文献７】米国特許出願公開第２００８／０２５５０１７号（特許文献８に対応）
【特許文献８】国際公開第２００６／０５６３０１号
【特許文献９】米国特許第６８４６７８６号
【特許文献１０】欧州特許第０３５０３０６号
【特許文献１１】米国特許第３６３０９２５号
【発明の概要】
【００１９】
本発明の組成物は、ケージの有無を問わず使用でき、ケージがない場合はトイレ陶器上に、濡れた表面上にさえも直接施用される。
【００２０】
さらに、本発明による組成物は、複雑なアプリケータの使用を必要とせず、したがってユーザーの操作を最小限に抑えるので、優れた機械的特性を示す。
【００２１】
本発明で得られる製品は粘着性ペーストを提供し、特に残留水／糖比のために、界面活性剤は接着特性を提供しない。この粘着性組成物は、容易に加工・操作されるために充分展性があるが、同時に相当なフラッシュ回数について鉢中に存続し、泡立って鉢中に製品が効率的に広がることを確実にするために充分堅い状態でトイレの表面に直接施用できる。結果として得られるペーストはさらに、一般人に対する適切な視覚的態様を確実にするために通常必要な添加剤の量を減少させる光沢度をはじめとする向上された美的特性を最終製品に提供する。白化作用も本発明による新規組成物で防止できる。
【００２２】
したがって、本発明は以下の項目を提供する：
１．洗浄および／または消毒および／または消臭するための粘着性衛生組成物であって、組成物の総重量基準で：
・接着促進剤として乾燥含有量で４０〜６５重量％の、単糖類、二糖類、もしくはオリゴ糖類、糖アルコールまたはそれらの混合物から選択される糖成分と、
・乾燥含有量で２５〜５０重量％の量の界面活性剤と、
・組成物の総重量基準で１〜５重量％の量の残留水と
を含む組成物。
【００２３】
２．組成物の総重量基準で：
・４５〜６０部の糖成分；
・２６〜４０部の界面活性剤；
・１．５〜３％の水
を含む、項目１に記載の組成物。
【００２４】
３．糖の界面活性剤に対する重量比が３：１〜１：１、好ましくは約２：１である、項目１〜２のいずれか１つによる組成物。
【００２５】
４．単糖類、二糖類またはオリゴ糖類がグルコース、フルクトース、サッカロース、グルコースシロップ、イソモルトまたはそれらの混合物であり、さらに好ましくは、サッカロースとグルコースシロップとの混合物またはイソモルトとグルコースシロップとの混合物であり、これらの混合物が有利には２０／８０〜４０／６０の重量比である、項目１〜４のいずれか１つに記載の組成物。
【００２６】
５．グルコースシロップのデキストロース含有量が１４〜２０％である、項目４に記載の組成物。
【００２７】
６．界面活性剤がアニオン性界面活性剤である、項目１〜５のいずれか１つに記載の組成物。
【００２８】
７．アニオン性界面活性剤がアルカンスルホン酸塩またはアルキルエーテル硫酸塩またはそれらの混合物であり、好ましくはそれらの混合物である、項目６に記載の組成物。
【００２９】
８．芳香剤および／または安定剤および／または色素および／またはそれらの混合物をさらに含む、項目１〜７のいずれか１つによる組成物。
【００３０】
９．芳香剤が組成物の総重量基準で２重量％〜１０重量％、さらに好ましくは３重量％〜６重量％の量である、請求項８に記載の組成物。
【００３１】
１０．さらに安定剤を、概して最終組成物の０．５〜５％、好ましくは１〜３重量％の量で含む、項目１〜９のいずれか１つに記載の組成物。
【００３２】
１１．安定剤が：
・疎水性化合物、例えば油またはワックス（動物性、植物性、合成、石油）、典型的には液体油、例えば鉱油もしくは植物油、好ましくは流動パラフィンおよびヒマシ油、ならびに第３級アルコール、ケトン、複合エステル
・錯化剤、例えばリン酸、二リン酸ナトリウム、スズ酸塩（ｓｔａｎｎｅｔｅ）、ＥＤＴＡ、ＮＴＡ、クエン酸塩
・尿素、バルビツール酸
・疎水性および／または親水性シリカ
・脂肪酸の金属塩、例えばステアリン酸塩（ナトリウム、カリウム）
・高温安定アニオン性界面活性剤、例えば２−（Ｎ−エルカシル−Ｎ−メチルアミド）アセテート（ＥＭＡＡ）、ジフェニルオキシドジスルホネート、アルコキシカルボキシレート
・ケイ酸塩、例えばアルカリ金属ケイ酸塩
・ならびにシリコンゴム
からなる群から選択される、項目１〜１０のいずれか１つに記載の組成物。
【００３３】
１２．油状基質、好ましくは流動パラフィンまたはヒマシ油である安定剤をさらに含む、項目１〜１１のいずれか１つに記載の組成物。
【００３４】
１３．１０分の５０〜８０ミリメートル、好ましくは６５〜７５の硬度を示す、項目１〜１２のいずれか１つに記載の組成物。
【００３５】
１４．グリセリンを含まない、項目１〜１３のいずれか１つに記載の組成物。
【００３６】
１５．オリゴ糖類が可溶性である、項目１〜１４のいずれか１つに記載の組成物。
【００３７】
本発明はまた以下の項目も提供する：
１６．洗浄および／または消毒および／または消臭するための粘着性衛生組成物の製造方法であって、糖成分を溶融させ、場合によってあらかじめ加熱した組成物の残りと混合し、そして混合物を成形することを含み、出発組成物が組成物の総重量基準で：
・乾燥重量で全組成物の４０％〜６５重量％の量の単糖類、二糖類、またはオリゴ糖類、好ましくは可溶性オリゴ糖類から選択される糖成分、糖アルコールまたはそれらの混合物；および
・乾燥重量で全組成物の２５〜５０重量％の量の界面活性剤；および
・１０〜２５重量％、好ましくは１０〜２０％の量の水
を、残留水含有量が１〜５重量％になるまで含む、方法。
【００３８】
１７．項目１〜１５のいずれか１つに記載の組成物の製造のための、項目１６に記載の方法。
【００３９】
本発明は以下の項目も提供する：
１８．項目１６または１７の方法によって得ることができる組成物。
【００４０】
１９．固体アプリケータと組み合わせた、項目１〜１５または１８のいずれか１つに記載の組成物。
【００４１】
本発明は以下の項目も提供する：
２０．衛生要素、特にトイレを洗浄および／または消毒および／または消臭するための、項目１〜１５および１８または１９のいずれか１つに記載の組成物の使用。
本発明は以下の項目も提供する：
【００４２】
２１．（ｉ）項目１〜１３または１６または１７のいずれか１つに記載の組成物を前記要素に接着させるステップと、（ｉｉ）それをフラッシュするステップとを含む、衛生要素、特にトイレを洗浄および／または消毒および／または消臭するための方法。
【発明を実施するための形態】
【００４３】
本発明は以下の説明でさらに詳細に開示される。
【００４４】
本発明を、可能な非限定的組成物の一例として以下に提示する包括的組成物に関連して示す。
【００４５】
本発明による組成物は、単糖類、二糖類、オリゴ糖類、好ましくは可溶性オリゴ糖類、またはそれらの誘導体のいずれかであり得る糖成分を含む。「糖成分」という語は、１つまたは複数の前述の成分の混合物も包含する。
【００４６】
単糖類は、「オース（ｏｓｅ）」として知られ、トリオース、テトロース、ペントース、ヘキソース、ヘプトースを含む。好ましいオース類は、ヘキソース、例えばグルコース、フルクトース、マンノース、特にグルコースである。本発明の意味に含まれる単糖類は、それらの化学構造中にサッカライド部分、例えばグルコース部分を含む化合物も含む。
【００４７】
二糖類も公知であり、オシド結合（ｏｓｉｄｉｃ  ｂｏｕｎｄ）によって結合した２つの「オース」から形成される。例は、マルトース、ラクトース、セルビオース（還元ジホロシド）、およびサッカロース（糖とも呼ばれる）およびトレハロース（非還元ジホロシド）である。本発明の意味に含まれる二糖類は、サッカロースなどの二糖類由来の化合物も包含する。
【００４８】
本発明は、糖類の意味に含まれる誘導体をさらに包含する。本発明はしたがって、（二）糖類誘導体、すなわち、その構造が１つのカルボニルをヒドロキシル基で置換することから得られる糖アルコールをさらに提供する。典型的には、１つの適切かつ好ましい二糖類誘導体は、サッカロース由来であり、その化学構造中にグルコース部分を含む糖アルコールであるイソモルトである。
【００４９】
オリゴ糖類は、１０までのモノマーを含む；それは通常可溶性であり、このことは好ましい。好ましく用いられるのは、単糖類または二糖類またはそれらの混合物である。特に、糖であり得る。好ましい糖はサッカロース／グルコースシロップの混合物である。デキストロースの量が増加したグルコースシロップはさらなる接着性／粘着性を提供する。デキストロースの好ましい量は１４〜２０％である。シロップの量を減少させると、概して接着性／粘着性が減少する。
【００５０】
さらに一般的には、糖の好ましい混合物は以下の化学組成を有するものである：Ｘ％（ＣｎＨ２ｎＯｎ）＋Ｙ％（ＣｐＨ２ｍＯｍ）、ここで、ｎ＝６、ｐ＝１２、ｍ＜ｐ、Ｘ＋Ｙ＝１００。
【００５１】
本発明による組成物内の糖成分の総量は、典型的には全組成物の２５〜７５重量％、好ましくは４０〜７０重量％、そしてさらに好ましくは４０〜６５重量％である。出願人は意外にも、多量の界面活性剤と関連する場合、衛生組成物の処方中に通常含まれる量（例えば約５〜１５重量％）よりも多い量の糖が有利な接着性溶解特性を提供することを見いだした。
【００５２】
糖成分の混合物も想定される。グルコースシロップが組成物中に含まれる場合、それは糖成分の全混合物の３０〜９０重量％、好ましくは５０〜８０重量％、そしてさらに好ましくは６０〜７５重量％であり得る。通常、グルコースシロップはサッカロース（二糖類）またはイソモルト（二糖類誘導体）のいずれかと配合される。これらの化合物は溶解の点で有利な特性を示す。
【００５３】
本発明による組成物の洗浄作用は、アニオン性、カチオン性、非イオン性または両性界面活性剤のいずれかであり得る界面活性剤によって発揮される。好ましい界面活性剤はアニオン性である。
【００５４】
組成物中の界面活性剤の量は、典型的には全組成物の２５重量％超、好ましくは３０〜５０重量％、そしてさらに好ましくは３０〜４０重量％に達する。前述のように、出願人は意外にも、高比率の界面活性剤を多量の糖成分と組み合わせると有利な特性が得られることを見出した。
【００５５】
界面活性剤の量対糖成分の量は、糖対界面活性剤の重量比が３：１〜１：１、好ましくは約２：１になるようなものである。
【００５６】
実質的にあらゆる界面活性剤、すなわち、アニオン性、カチオン性、非イオン性、両性、およびそれらの混合物を使用できる。アニオン性界面活性剤は、優れた発泡、湿潤、洗浄、可溶化、安定化および乳化機能を示すので、好ましい。
【００５７】
アニオン性界面活性剤は：
（ｉ）カルボキシレート（本発明で使用される脂肪酸セッケン以外）、例えばアルキルカルボキシレート、アリールカルボキシレート、カルボン酸のエステル、カルボン酸のエーテル
（ｉｉ）スルフェート、例えばアルキルスルフェート、例えばラウリル硫酸アンモニウム（ＡＬＳ）、ラウリル硫酸ナトリウム（ＳＬＳ、ドデシル硫酸ナトリウム）；ＭＥＡ−アルキルスルフェート；アルキルエーテルスルフェート、例えばラウレス硫酸ナトリウム、（ラウリルエーテル硫酸ナトリウム、ＳＬＥＳ）、ミレス硫酸ナトリウム；アルキルアリールエーテルスルフェート；アルキルポリエーテルグリセロールエーテルスルフェート、硫酸化アルカノールアミド；グリセリドスルフェート
（ｉｉｉ）スルホネート、例えばアルキルアリールスルホネート、例えばドデシルベンゼンスルホネートおよび合成洗剤；アルキルスルホネート、例えばアルファオレフィンスルホネート（ＡＯＳ）、第１および第２パラフィン（ｐａｒａｆｉｎ）スルホネート（ＰＳ、ＳＡＳ）；スルホ脂肪酸エステル、例えばＦＥＳ（脂肪エステルスルホネート）、ＭＥＳ（メチルエステルスルホネート）、ＡＳＭＥ（ａ−スルホメチルエステル）；スルホスクシネート、例えばモノ−アルキルスルホスクシネート、ジ−アルキルスルホスクシネート；脂肪酸イセチオネートおよびタウリド；リグノスルホネート
（ｉｖ）リン酸、エステルおよび塩、例えばアルキルアリールエーテルホスフェート；アルキルフェノールエーテルホスフェート；アルキルエーテルホスフェート；アルキルホスフェート
（ｖ）アシルアミノ酸および塩、例えばアシルグルタメート、アシルペプチド、アシルサルコシド
であり得る。
【００５８】
アニオン性界面活性剤のさらなる可能なリストは、参照により本明細書中で援用される、米国特許出願公開第２００８／０２５５０１７号の段落［００５６］〜［００６２］（両端を含む）で見いだすことができる。好ましいアニオン性界面活性剤は、スルフェートおよび／またはスルホネートタイプのものである。
【００５９】
非イオン性界面活性剤は：
（ｉ）脂肪族アルコール（アルカンジオール）；例えばセチルアルコール、ステアリルアルコール、セトステアリルアルコール（主にセチルおよびステアリルアルコールからなる）、オレイルアルコール
（ｉｉ）エーテル；例えばアルコキシル化アルコール、特にエトキシル化アルコール、例えばポリエチレングリコール（ＰＥＧ）、オクタエチレングリコールモノドデシルエーテル、ペンタエチレングリコールモノドデシルエーテル；ＥＰ／ＰＯブロックポリマー、例えばエトキシル化ＰＰＧエーテル、ポリオキシプロピレングリコールアルキルエーテル、ポロキサマー；アルキルポリグルコシド；エトキシル化油脂
（ｉｉｉ）アルカノールアミド、例えばモノまたはジアルカノールアミド、エステル−アミド；エトキシル化アルカノールアミド、ポリエトキシル化モノアルカノールアミドエステル、特にコカミドＭＥＡ
（ｉｖ）エトキシル化脂肪酸、たとえばＰＥＧ脂肪酸エステルおよびＰＥＧ脂肪酸ジエステル
（ｖ）グリコールエステル、グリセロールエステル、およびエトキシル化誘導体、例えばエチレングリコールエステル、プロピレングリコールエステル、モノグリセリド、１，３−ジグリセリド、ポリエトキシル化１，３−ジグリセリド、ポリグリセリルモノエステル、グリセリルラウレート
（ｖｉ）ソルビタンおよびソルビトールエステルおよびエトキシル化誘導体、例えば１，４−ソルビタンモノエステル、ソルビタントリエステル、ポリエトキシル化（ｐｏｌｙｅｔｈｏｘｘｌａｔｅｄ）ソルビタンモノエステル、スパン
（ｖｉｉ）アルキル炭水化物エステル、例えばサッカロース脂肪酸モノエステル
（ｖｉｉｉ）アミンオキシド、例えばドデシルジメチルアミンオキシドまたはココナッツ脂肪酸アミドプロピルジメチルアミンオキシド
であり得る。
【００６０】
非イオン性界面活性剤のさらなる可能なリストは、参照により本明細書中で援用される米国特許出願公開第２００８／０２５５０１７号の段落［００３９］〜［００５０］（両端を含む）で見出すことができる。
【００６１】
カチオン性界面活性剤は：
（ｉ）アルキルアミン、例えばジメチルアルキルアミンおよびアルキルアミドジメチルプロピルアミン
（ｉｉ）アルキルイミダゾリンおよびイミダゾリン
（ｉｉｉ）第４級アンモニウム化合物、例えばテトラアルキル（−アリール）アンモニウム塩、複素環式アンモニウム塩、例えばｎ−アルキルイミダゾリンクロリド、アルキルベタイン、例えばココナッツ脂肪酸アミドプロピルベタイン、エトキシル化アルキルアミン、例えばアルキルプロパンジアミンエトキシレート、エステル化第４級物（ｑｕａｔｅｒｎａｒｉｅｓ）、例えばエステルクォート
であり得る。
両性界面活性剤は：
（ｉ）カルボキシレート、たとえばアシルエチレンジアミンおよび誘導体、例えばアシル両性アセテート、アシル両性ジアセテート、アシル両性ジプロピオネート
（ｉｉ）ｎ−アルキルアミノ酸またはイミノ二酸、例えばアルキルアミノプロピオン酸、ココグリシン酸ナトリウム、アミノプロピルアルキルグルタミド、アルキルイミノジプロピオン酸ナトリウム
（ｉｉｉ）ホスフェート、例えばレシチン
（ｉｖ）スルホネート、例えばＣＨＡＰＳ（３−［（３−コラミドプロピル）ジメチルアンモニオ］−１−プロパンスルホネート）
（ｖ）スルタイン（ｓｕｌｔａｉｎｅ）、例えばコカミドプロピルヒドロキシスルタイン
であり得る。
【００６２】
一般的には溶媒を組成物の製造のために添加する。溶媒は、水、または水とエタノールなどのアルコールとの混合物である。水は、組成物の総重量基準で１０〜２５重量％、好ましくは１０〜２０％の量で添加される。この量は、本発明の組成物の作製に関与する界面活性剤組成物中に含まれる水（または有機溶媒との混合物）、糖側および一般的に言えば添加される材料中に算入される水ならびに添加される水の量を考慮することによって得られる。溶媒の量は、香料、色素などによってもたらされる非水性溶媒を考慮して、３０％まで、好ましくは２８％までである。溶媒のこの選択された量によって、同時に製品の安定性および保存可能期間ならびにその硬度を増強しつつ、粘着性組成物を得ることが可能になる。水／溶媒の最終量は、製造法の間に起こる蒸発を考えると、はるかに低い。
【００６３】
さらに、安定剤、芳香剤／香料、色素、粘度調節剤、増粘剤、消毒剤、酵素、殺生物剤、石灰カス除去剤、キレート剤、防腐剤などの通常使用される成分を組成物中への添加剤として使用できる。
【００６４】
安定剤が一般的に組成物において使用される。安定剤は組成物の総重量基準で０．５〜５重量％、好ましくは１〜３重量％の量で使用される。安定剤は概して：
・疎水性化合物、例えば：
・油またはワックス（動物性、植物性、合成、石油）、典型的には液体油、例えば鉱油または植物油、好ましくは流動パラフィンおよびヒマシ油、
・第３級アルコール、ケトン、複合エステル
・錯化剤、例えば：
・リン酸、二リン酸ナトリウム、スズ酸塩（ｓｔａｎｎｅｔｅ）、ＥＤＴＡ、ＮＴＡ、クエン酸塩
・尿素、バルビツール酸
・疎水性および／または親水性シリカ
・脂肪酸の金属塩、例えば
・ステアリン酸塩（ナトリウム、カリウム）
・高温安定アニオン性界面活性剤、例えば
・２−（Ｎ−エルカシル−Ｎ−メチルアミド）アセテート（ＥＭＡＡ）、ジフェニルオキシドジスルホネート、アルコキシカルボキシレート
・ケイ酸塩、例えば：
・アルカリ金属ケイ酸塩
・およびシリコンゴム
からなる群から選択される。
【００６５】
香料が概して組成物中に存在する。香料は、参照により本明細書中で援用される米国特許出願公開第２００８／０２５５０１７号の段落［００６４］で開示されているとおりで有り得る。芳香剤は、花の芳香剤、果実、香辛料などに基づくものであり得る。香料は、天然起源であり得るか、または合成され得る。香料は概して２％〜１０％、好ましくは３％〜６％の量で存在する。
【００６６】
粘度調節剤（フラッシュ調節剤とも呼ばれる）は組成物中に存在し得る。粘度調節剤として、モノまたはジ−アルコールおよびポリオール、および／またはアルキルエーテルの群から選択できる。特にグリコール、例えばプロピレングリコール（プロパン−１，２−ジオール；１，２−ジヒドロキシプロパン；メチルグリコール；トリメチルグリコール）であり得る。あるいは、さらに一般的にはジオール、例えば１，３ジヒドロキシプロパン、１，３または１，４ジヒドロキシブタン、１，３ジヒドロキシイソブタン、またはポリオール、例えばソルビトールもしくはペンタエリスリトールであり得る。例えばメチル、エチルおよびｎ−ブチルエーテルなどのアルキルエーテルが可能である；例えば、ジプロピレングリコールメチルエーテルであり得る。アルカノールアミン、例えばジエタノールアミンでもあり得る。好ましくは、粘度調節剤は存在せず、特に組成物は好ましくはＰＥＧを含まない。
【００６７】
例えばキサンタンゴム、アカシアゴム、グアーゴムもしくはカラギーナンゴム、またはデンプンおよび／もしくは誘導体、タンパク質（コラーゲン、ゼラチン）、ペクチン、ＰＶＡ、シリカ、タルクなどの増粘剤を使用できる。
【００６８】
衛生組成物の分野で公知の様々なさらなる成分を添加できる。衛生剤は、したがってさらなる慣用の構成成分、例えば消毒剤、酵素、粒子、例えば着色ＰＥＴまたはＰＰ、防腐剤、殺生物剤など、例えば、イソチアゾロン誘導体、ＥＤＴＡ、または泡安定剤を含み得るが、色素または着色剤および／または石灰カスもしくは尿石を溶解させる物質、特に酸および／またはホスホネートも含み得る。添加剤の量は、概して０％〜５％、好ましくは３％までである。
【００６９】
組成物を以下の方法にしたがって製造する。主容器中に、糖成分またはそれらの混合物を導入し、１００〜１６０℃、例えば１２０〜１４０℃の温度で溶融させる。添加剤、界面活性剤および場合によって溶媒を補助容器中で合わせて混合し、室温で導入するか、または４０℃まで（もしくは６０〜７０℃まで）予熱した後、溶融した糖成分の入った主容器中へ導入する。このようして得られた混合物をさらに加熱することなく柔らかく均一な稠度まで１０分未満の期間（例えば２分）混合する。混合物を次いでシリコン／ゴム型中に注ぎ、室温まで冷却するか、または冷却トンネル中をある一定の時間通過させる。製造工程の間に、導入された水が蒸発し、最終量の残留水になる。残留水の最終量は、ＥＮ  ＩＳＯ９００１：２００８にしたがって測定する。この量は、温度または油（例えば流動パラフィン）などの安定剤の量（存在する場合）を調節することによって変えることができる。油の非存在下で、例えば、正しい硬度および粘着性に達するために、工程の温度を下げることができる。
【００７０】
糖類が２以上の混合物である場合、それらを工程中の別個のステップで添加できる。また、粘度調節剤を工程の異なる段階で添加することも可能である。
【００７１】
有利には、組成物を水力学的形状に成形して、製品の最適化された接着性および使用寿命（ｕｓｅ  ｌｉｆｅ）を得る。典型的には、本発明による衛生組成物は対称的であり、なめらかな形状を示す。
【００７２】
組成物をトイレ陶器上に、直接的に、または公知の方法にしたがって、例えば上述の欧州特許出願公開第１３２５１０３号および欧州特許出願公開第１０８６１９９号で示されているような任意の種類のアプリケータを使用して、および／または以下の国際公開第２００７／００８５３２号、欧州特許出願公開第２１４１２２１号、国際公開第２０１１／１３５３３０号および欧州特許出願公開第２２８１７５６号で開示される手段を使用して施用する。
【００７３】
量は、特に指示がない限り、重量で表す。
【００７４】
以下の実施例は本発明を限定することなく説明する。
【実施例】
【００７５】
組成物を次のようにして製造する。
１．糖相を１２６〜１３５℃で加熱する。
２．界面活性剤相をマイクロ波中で４０〜６０℃まで加熱する。
３．両相をあわせて、柔らかな稠度まで約２分間ブレンドし、混合する。
【００７６】
以下の特性を試験する。ディスクは、以下のようなおよその寸法を有する丸みのある形状を有する：直径：２２〜２３ｍｍ、厚さ：１０〜１１ｍｍ、重量：４．５〜５ｇ。
【００７７】
粘着性。トイレディスクの粘着性レベルを評価する。
粘着性試験の方法は、米国特許出願第２００８／０１９０４５７号から採用する。使用した装置は次のとおりであった：寸法：長さ５ｃｍ、幅４ｃｍのＰＥＴフィルムおよびワックスペーパー片、少数第２位まで計量する天秤、および正方形のセラミックタイル。値を両片について提示する（注：米国特許出願第２００８／０１９０４５７号では、ワックスペーパーへの粘着性は、４０グラムより高くなければならず、一方、天秤表面への粘着性は８０グラムより大きくなければならない。
【００７８】
硬度。トイレディスクの硬度のレベルを評価する。
使用した装置は、ＡＦＦＲＩ  Ｓｙｓｔｅｍ製造のＳｈｏｒｅデジタル硬度試験機であった（パラメータ：スポンジ、シリコーンゴムなどの軟質材料の測定ヘッド。−Ｓｈｏｒｅ００スケール；直径２．４ｍｍの球圧子；押し込み力１．１１Ｎ；時間測定モード：１回の測定時間３秒；測定温度２４℃）。硬度試験は球状貫通装置（ｂａｌｌ  ｐｅｎｅｔｒａｔｏｒ）をサンプル中に所定の力の下で押し込むことによって実施した。硬度測定は、サンプルの表面中への貫通ミリメートルの１０分の１で表す。
【００７９】
使用寿命（Ｕｓｅｌｉｆｅ）試験。製品使用の実際をシミュレートする条件下で製品の持続期間を測定する。
不規則な間隔で配分された、１日あたり１２回のフラッシュの自動サイクル（３人家族の活動に代表的）を開始する。製品が完全に消費されるまで試験を継続し、これで使用期間を決定する。動作時間をフラッシュ回数で表し、これを１２で割って、日数で表される期間を導いた。
【００８０】
安定性。所与の時間で安定性を測定する。
標準的ＡＳＴＭ  Ｆ１９８０を使用することによって、６ヶ月の保存可能期間に相当する加速安定性を実施する。４０℃での加速貯蔵条件は、ＡＳＴＭ  Ｆ１９８０およびアレニウスの式によると３０日である。製品のサンプルをガラス瓶中で貯蔵した。製品の安定性は、視覚的態様を評価し、寸法を測定することによってチェックする。
【００８１】
以下の組成物が製造される。
【００８２】
組成物は、硬質である一方で、トイレ上に容易に施用するのに充分可塑性である。それらはトイレに施用するのが容易であり、優れた接着特性を有する。フラッシュする前に、組成物は光沢があり、優れた視覚的態様を有する。この優れた視覚的態様はフラッシュの間中保持される。寿命は１００回のフラッシュを上回る。
【表１】
2016520694.tif 000002
【００８３】
以下の組成物も製造する。
【表２】
2016520694.tif 000003
【００８４】
単糖類および二糖類および場合によって可溶性オリゴ糖類は最終製品に以下のものを提供する：
・接着特性
・構造特性（固体様製品）、したがってトイレへのその施用のために特定のアプリケータを必要としない
・製品を陳列中および使用中にはるかにより魅力的にする非常に魅力的な構造（キャンディに類似）。
【００８５】
単糖類および二糖類および場合によって可溶性オリゴ糖類の使用は、長時間にわたる製品溶解のより良好な制御も可能にする。それは、冷水中での非常に良好な溶解性を保持しつつ、所望の製品構造を得るために高濃度で使用できる。
【００８６】
単糖類および二糖類ならびに場合によって可溶性オリゴ糖類の別の利点は、処理パラメータ（例えば処理温度）によって製品粘着性および製品硬度を容易に調節することである。
【００８７】
単糖類および二糖類はまた、製品の表面での１種の白化作用に至る使用中の乾燥の影響を回避する；単糖類および二糖類は親水性であるので、それらは天然の保湿剤として挙動し、処方中にさらなる成分を添加することを回避し、特にグリセリンの追加使用を回避する。
【国際調査報告】
2016520694.tif 000004
2016520694.tif 000005